(57)【特許請求の範囲】
【請求項１】
下部材と、上部開口が設けられた上部材と、第一側部材と、側部開口が設けられた第二側部材と、前記第一側部材と対向する第三側部材と、前記第二側部材と対向する第四側部材とを備える本体部材と、
前記側部開口をふさぐように、前記第二側部材の近くで前記上部材から差し込めるとともに、前記第四側部材と対向するように、前記第四側部材の近くで前記上部材から差し込める差込部材と、
前記側部開口から引き出せるとともに、前記側部開口をふさぐように前記差込部材を前記本体部材に差し込んだときに、前記本体部材の内部に収容される引出部材と、
を有する収納容器。
【請求項２】
請求項１において、
前記差込部材が、前記第二側部材の近くで、前記上部開口とは異なる差込開口から差し込める収納容器。
【請求項３】
請求項１または２において、
前記上部開口をふさぐように前記本体部材に着脱できる蓋部材をさらに有する収納容器。
【請求項４】
請求項３において、
前記上部開口の周囲で前記上部材に接触する弾性リングが、前記蓋部材の下面に設けられている収納容器。
【請求項５】
請求項３または４において、
前記側部開口をふさぐように前記差込部材を前記本体部材に差し込んだときに、前記下部材、前記第一側部材、前記第三側部材、および前記蓋部材のそれぞれの内側と接触する弾性リングが、前記差込部材の周囲に設けられている収納容器。
【発明の詳細な説明】
【技術分野】
【０００１】
本願は、日用品、小物、衣類、および書籍などを収納する収納容器と、積層されたこの収納容器を備える収納具に関するものである。
【背景技術】
【０００２】
矩形状の枠体に底板を配置した箱体を縦方向に重ね合わせ、最上段の箱体の上に蓋体を重ね合わせた衣類収納箱が知られている（特許文献１）。この衣類収納箱は、箱体どうしが水密に重ね合わせられるような構造を備えている。このため、この衣類収納箱は、洪水等により水が内部に侵入するのを抑えられる。しかしながら、例えば最下段の箱体に収納した衣類を取り出すときには、最下段の箱体とそれ以外の箱体を分離しなければならない。したがって、この衣類収納箱の最下段の箱体に収納した衣類を取り出すのは手間がかかる。収納品の収納性と使用性を両立させた収納容器の出現が望まれている。
【先行技術文献】
【特許文献】
【０００３】
【特許文献１】特開２０１９−１２３５１４号公報
【発明の概要】
【発明が解決しようとする課題】
【０００４】
本願は、このような事情に鑑みてなされたものであり、収納品の収納性と使用性を両立させた収納容器と収納具を提供することを課題とする。
【課題を解決するための手段】
【０００５】
本願の収納容器は、下部材と、上部開口が設けられた上部材と、第一側部材と、側部開口が設けられた第二側部材と、第一側部材と対向する第三側部材と、第二側部材と対向する第四側部材とを備える本体部材と、側部開口をふさぐように、第二側部材の近くで上部材から差し込めるとともに、第四側部材と対向するように、第四側部材の近くで上部材から差し込める差込部材を有する。
【０００６】
本願の収納具は、上下方向に同じ高さで積層された本願の収納容器から構成される複数組の積層体と、複数組のそれぞれの組の最上の収納容器に渡って設置された天部材を有する。
【発明の効果】
【０００７】
本願の収納容器と収納具によれば、収納品の収納性と使用性が両立できる。
【図面の簡単な説明】
【０００８】
【図１】第一実施形態の収納容器の分解斜視図。
【図２】第一実施形態の本体部材の上面図。
【図３】第一実施形態の本体部材に、ある態様で引出部材を装着したときの上面図。
【図４】第一実施形態の本体部材に、他の態様で引出部材を装着したときの上面図。
【図５】第二実施形態の本体部材の上面図。
【発明を実施するための形態】
【０００９】
以下、本願の収納容器と収納具について、図面を参照しながら各実施形態に基づいて説明する。なお、図面は、収納容器、収納容器を構成する部材、収納容器の周辺部材、収納具、収納具を構成する部材、および収納具の周辺部材を模式的に表したものであり、これらの実物の寸法および寸法比は、図面上の寸法および寸法比と必ずしも一致しない。本願では便宜上、特に断らない限り、図１に示す収納容器の本体部材の向きを基準に、前後、左右、上下、および内外などの方向を規定する。また、同一部材には同一符号を付与することがあり、重複説明は適宜省略する。
【００１０】
（第一実施形態）
図１は、本願の第一実施形態の収納容器１０を分解して示している。収納容器１０は、本体部材１２と、差込部材である仕切板１４と、引出部材１６と、蓋部材１８を備えている。収納容器１０を構成する部材の相互位置関係を理解しやすくするため、引出部材１６を着色して図示している。図２は、本体部材１２を上から示している。本体部材１２は、例えば木製または樹脂製である。本体部材１２は、下部材２０と、上部材２２と、第一側部材２４と、第二側部材２６と、第三側部材２８と、第四側部材３０を備えている。下部材２０と上部材２２の間に、第一側部材２４、第二側部材２６、第三側部材２８、および第四側部材３０が配置されている。
【００１１】
上部材２２には上部開口２２ａが設けられている。また、第一実施形態では、第二側部材２６の近くに、上部開口２２ａとは異なる差込開口２２ｂが設けられている。なお、“第二側部材の近く”とは、第四側部材との距離と比べて、第二側部材との距離が近い場所を意味する。差込開口２２ｂの機能については後述する。第二側部材２６には側部開口２６ａが設けられている。第三側部材２８は第一側部材２４と対向している。“ある面が他の面と対向する”とは、ある面と他の面が向かい合っているだけでなく、ある面が他の面と向かい合っておらず、かつ隣接していない状態も含む。第四側部材３０は第二側部材２６と対向している。
【００１２】
仕切板１４は、側部開口２６ａをふさぐように、第二側部材２６の近くで、すなわち第一実施形態では上部材２２の前端付近で、上部材２２から差し込める。より具体的には、仕切板１４は差込開口２２ｂから差し込める。さらに具体的には、本体部材１２の前方の端であって、第一側部材２４および第三側部材２８の内側面に前方溝３４，３４が設けられており、差込開口２２ｂと前方溝３４，３４に沿って、仕切板１４が上から本体部材１２に差し込まれる。
【００１３】
また、仕切板１４は、第四側部材３０と対向するように、第四側部材３０の近くで上部材２２から差し込める。なお、“第四側部材の近く”とは、第二側部材との距離と比べて、第四側部材との距離が近い場所を意味する。より具体的には、上部材２２の第四側部材３０に近い端で、すなわち第一実施形態では上部材２２の後端付近で、仕切板１４が本体部材１２に差し込める。
【００１４】
さらに具体的には、本体部材１２の後方の端であって、第一側部材２４および第三側部材２８の内側面に後方溝３６，３６が設けられており、後方溝３６，３６に沿って、仕切板１４が上部材２２から本体部材１２に差し込まれる。第一実施形態では、仕切板１４が前方溝３４と後方溝３６のどちらかに装着された状態で、収納容器１０が使用される。なお、前方溝３４と後方溝３６の両方に仕切板１４が装着されていない状態でも、収納容器１０が使用できる。
【００１５】
引出部材１６は、側部開口２６ａから引き出せる。すなわち、側部開口２６ａを利用して、本体部材１２に引出部材１６を入れたり、本体部材１２から引出部材１６を出したりする。引出部材１６の前面１６ａには把持部１６ｂが形成されている。把持部１６ｂは、貫通していない穴と、この穴の上部に形成された陥没部（不図示）を備えている。この把持部１６ｂを利用して、引出部材１６を出し入れする。また、引出部材１６は、側部開口２６ａをふさぐように仕切板１４が本体部材１２に差し込まれたときに、本体部材１２の内部に収容される。すなわち、仕切板１４の後方に引出部材１６が存在する。図３は、このときの本体部材１２と引出部材１６の位置関係を上から示している。
【００１６】
また、仕切板１４が後方溝３６，３６に装着された状態で本体部材１２に引出部材１６を入れると、仕切板１４で引出部材１６が止まって、第二側部材２６と引出部材１６の前面１６ａが平坦になる。図４は、このときの本体部材１２と引出部材１６の位置関係を上から示している。つまり、収納容器１０内の収納品を頻繁に出し入れするような収納容器１０の使用態様では、後方溝３６，３６に仕切板１４を装着して、引出部材１６を出し入れすればよい。
【００１７】
一方、収納容器１０の内部の収納品を長期間保管するような収納容器１０の使用態様では、引出部材１６を本体部材１２の後方いっぱいまで入れて、前方溝３４，３４に仕切板１４を装着して、引出部材１６を本体部材１２の内部に封鎖すればよい。このとき、引出部材１６が本体部材１２の内部で動かないように、引出部材１６の大きさと、前方溝３４および後方溝３６の位置を設定することが好ましい。
【００１８】
このように、本願の収納容器によれば、収納品の収納性と使用性が両立できる。収納品としては、日用品、小物、衣類、および書籍などが挙げられる。また、収納容器１０では、後方溝３６，３６に装着されていた仕切板１４を取り外して、引出部材１６を本体部材１２の後方に押し込み、取り外した仕切板１４を前方溝３４，３４に装着すれば、収納品を移し替えなくても、移動または引っ越しが容易にできる。前方溝３４，３４に装着された仕切板１４によって引出部材１６が固定されるので、引出部材１６の本体部材１２からの飛び出しと、引出部材１６の本体部材１２の内部での移動が抑えられる。本体部材１２の底面にキャスターを設けて、収納容器１０を移動しやすくしてもよい。
【００１９】
蓋部材１８は、板形状を備え、上部開口２２ａをふさぐように本体部材１２に、より具体的には上部材２２に着脱できる。第一実施形態では、蓋部材１８が本体部材１２に装着された状態がほぼ直方体形状となる。また、第一実施形態では、蓋部材１８の下面１８ｃと本体部材１２の上部材２２が対応するように、蓋部材１８の下面１８ｃと本体部材１２の上部材２２に段部が形成されている。より具体的には、蓋部材１８の下面１８ｃの周縁部が上に窪んでおり、上部材２２の周縁部が上に突出している。そして、これらの段差を利用して、蓋部材１８が本体部材１２に装着されている。このため、蓋部材１８が本体部材１２から動くのを抑制できる。
【００２０】
また、蓋部材１８の上面１８ａの周縁部が上に突出しており、下部材２０の下面の周縁部が上に窪んでいる。このため、これらの段差を利用して、蓋部材１８の上に、下部材２０が、すなわち本体部材１２が装着できる。すなわち、本体部材１２と蓋部材１８は、上下方向に交互に積層できる。そして、これらの積層された複数の収納容器１０は、蓋部材１８の上面１８ａと本体部材１２の下面の段差によって安定する。なお、収納容器１０は、蓋部材１８を外して、上下方向に積層して使用できる。この場合も、本体部材１２の上面と、これに積層する他の本体部材１２の下面の段差によって、これらの積層された複数の収納容器１０が安定する。
【００２１】
また、本体部材１２の第一側部材２４、第二側部材２６、第三側部材２８、および第四側部材３０と、蓋部材１８の上面１８ａまたは側面１８ｂに、スナップ錠などの留め具を設け、本体部材１２に蓋部材１８を固定できるようにしてもよい。さらに、蓋部材１８の下面１８ｃには、上部開口２２ａの周囲で上部材２２に接触する弾性リングが設けられていてもよい。このような弾性リングを設けることで、蓋部材１８が本体部材１２に水密に装着できる。このため、収納容器１０の設置場所が大雨などで浸水しても、収納品の水害を抑制できる。
【００２２】
また、側部開口２６ａをふさぐように仕切板１４を差し込んだときに、すなわち前方溝３４，３４に仕切板１４を装着したときに、下部材２０、第一側部材２４、第三側部材２８、および蓋部材１８のそれぞれの内側と接触する弾性リングが、仕切板１４の周囲に設けられていてもよい。このような仕切板１４によって、収納容器１０の内部の収納品の水害を、より一層抑えられる。また、本体部材１２の前後を短く、左右を長くすれば、収納容器１０は本棚として使用できる。
【００２３】
また、上下方向に同じ高さで積層された収納容器１０から構成される複数組の積層体を、間隔を設けて横方向に並べ、積層体に天部材である天板を載せれば、この天板はテーブルトップとして使用できる。また、この天板にテレビを載せれば、収納容器１０はテレビボードの構成品として機能する。このように、収納容器１０は、ユニット家具としても使用できる。
【００２４】
すなわち、本願の収納具は、上下方向に同じ高さで積層された収納容器１０から構成される複数組の積層体と、複数組の積層体の最上の収納容器に渡って設置された天部材を備えている。このとき、複数組の積層体の最上の収納容器１０の蓋部材１８の上面に、天部材の周囲の少なくとも一部を覆うように突出部が設けられていてもよい。この突出部によって、天部材が動きにくくなり、複数組の積層体から天部材が落下するのを抑制できる。
【００２５】
（第二実施形態）
図５は、本願の第二実施形態の収納容器４０の本体部材４２を上から示している。本体部材４２の形状と、引出部材１６を使用しない点を除けば、収納容器４０は収納容器１０と同様である。本体部材４２の第一側部材２４および第三側部材２８の内側面には、上部が開口しているＵ字形状の受部材４４，４４がそれぞれ設けられている。そして、受部材４４，４４には、棒状部材４６が装着されている。すなわち、棒状部材４６は、本体部材４２の内部で、第一側部材２４と第三側部材２８に渡って設けられている。
【００２６】
例えば、棒状部材４６がハンガーを吊せるような形状および構造を備えていれば、収納容器４０は洋服ダンスとして使用できる。本体部材４２では、収納容器４０が洋服ダンスとして使いやすいように、前後方向が短く、左右方向と上下方向が長い。収納容器４０から洋服を頻繁に出し入れする場合は、後方溝３６，３６に仕切板１４を装着する。収納容器４０に洋服を長期間保管する場合は、前方溝３４，３４に仕切板１４を装着する。前方溝３４に仕切板１４を装着した状態で、収納容器４０の移動または引っ越しができる。
【符号の説明】
【００２７】
１０    収納容器                        １２    本体部材
１４    仕切板                          １６    引出部材
１６ａ  前面                            １６ｂ  把持部
１８    蓋部材                          １８ａ  上面
１８ｂ  側面                            １８ｃ  下面
２０    下部材                          ２２    上部材
２２ａ  上部開口                        ２２ｂ  差込開口
２４    第一側部材                      ２６    第二側部材
２６ａ  側部開口                        ２８    第三側部材
３０    第四側部材                      ３４    前方溝
３６    後方溝                          ４０    収納容器
４２    本体部材                        ４４    受部材
４６    棒状部材
【要約】
【課題】収納品の収納性と使用性を両立させた収納容器を提供する。
【解決手段】収納容器１０は、下部材２０と、上部開口２２ａが設けられた上部材２２と、第一側部材２４と、側部開口２６ａが設けられた第二側部材２６と、第一側部材２４と対向する第三側部材２８と、第二側部材２６と対向する第四側部材３０とを備える本体部材１２と、側部開口２６ａをふさぐように、第二側部材２６の近くで上部材２２から差し込めるとともに、第四側部材３０と対向するように、第四側部材３０の近くで上部材２２から差し込める差込部材である仕切板１４を備えている。
【選択図】図１【図１】
0006955793.tif 000002
【図２】
0006955793.tif 000003
【図３】
0006955793.tif 000004
【図４】
0006955793.tif 000005
【図５】
0006955793.tif 000006